(57)【要約】      （修正有）【課題】取っ手を指の間にはさむことによって複数鉢の移動が可能になり、両手で挟めばさらに多くの植木鉢が運べることでこれまでの面倒さを解消し、かつ、取っ手の平面部分にはこれから開花予定の花植物予想図の貼り付けが可能となり、反面側には企業広告シールも貼り付けられるので有料あるいは無料の宣伝広告効果も得られる多機能支柱を備えた植木鉢の構造を提供する。【解決手段】取っ手孔５、円盤状の取っ手４、および支柱穴６、を施した支柱２、の脚部を植木鉢底９、に貫通させて固着し、植木鉢の裏底１０と受け皿３、の表面とを固着接着させることによって植木鉢本体１、受け皿３とを支柱２、の取っ手４、を持つことによって植木鉢を一体同時に移動出来ることを可能にする。【選択図】図１
0003189919.tif 000002
【実用新案登録請求の範囲】
【請求項１】
植木鉢（１）の底表面に支柱（２）の下部先端を固着させ、次に植木鉢底の裏面（８）を受け皿表面（９）に固着させて成る多機能支柱を備えた植木鉢の支柱の構造。
【請求項２】
支柱の上部先端部は円盤形状で成る取っ手（４）を備えてなり片側には植えた植物の写真や名前を、反対側にはスポンサーの商業広告を印刷したシールの貼り付けを可能にした支柱を備えた植木鉢の構造。
【請求項３】
支柱には任意の位置に小さな穴（６）を複数設けて、その穴を通して球体から蝶々形状などさまざまな形状のワイヤートピアリーを設け、そこに蔓性植物を植えれば、自在な創作模様を生み出せることを特徴とする穴のある支柱を備えた植木鉢の構造。
【請求項４】
取っ手孔（５）は該広告シールを貼ったあとでも該シールのわずかな一部分を突き抜けさせられるためそこにＳ字フックを通して天井や横木に架けることの出来る支柱の構造となり、本考案は植木鉢を置き用途だけでなく空中陳列も出来る植木鉢の構造。
【請求項５】
本考案をプラステイック樹脂射出成形にて一体型製造してなる多機能支柱を備えた植木鉢の構造。
【請求項６】
本考案を３Ｄプリンターにて一体成型で製造してなるや機能支柱を備えた多機能支柱を備えた植木鉢の構造。
【考案の詳細な説明】
【技術分野】
【０００１】  本考案は複数個の植木鉢を片手で同時に持ち上げて移動出来る利便性に優れ、加えて蔓性植物の生育上に置いては蔓がのびる特性を生かしてその形状模様を自在に誘導する針金あるいはクラフトワイヤーの装置を取り付けてなる支柱を備えた多機能支柱植木鉢の構造に関する。支柱に付帯された複数の機能を持つ本考案の植木鉢には園芸愛好家はそれら多機能植木鉢に備わる複数の構造を遊用し、しいては園芸事業者の事業拡販にも資する多機能用途の支柱を備えた植木鉢の構造に係る。
【背景技術】
【０００２】  棒状の支柱を植木鉢本体鉢底の底穴９、にねじ込んで固着させ、さらに該鉢底と受け皿３、の表面を固着させてなる支柱と植木鉢と受け皿とを一体化させた植木鉢の構造である。従来の植木鉢と受け皿の構造では、両者は別々の個体であるためそれぞれの移動には両手での保持移動を必要とするため不便であった。【０００３】  また、従来片手でも運べる吊り下げ型の植木鉢においては、底に水の滴りを防ぐ用途で備えられた逆三角形状の受け皿装置付きのいわゆるスクルテイ鉢、プラート鉢などはあったがいずれも底面が水平でなく本考案のような床置きは不可能であった。あるいは水平性の構造の水遣り用の開口部を備え受け皿に水遣り後には脱着出来る植木鉢も別に存在した。しかしいずれも下記考案の概要に示す本考案のような多機能支柱付き構造とは異なる機能である。
【考案の概要】
【考案が解決しようとする課題】
【０００４】しかして本考案によれば先ず該支柱の上部突端に形成された取っ手は片手でも握れる構造であるため該植木鉢とその底辺に固着してなる受け皿は常に一体物として保持移動が可能であり、さらに該植木鉢は片手の指間に挿んでも２個ないし３個が同時に持ち上げれるため運べる鉢数は増え、さらにもう片手でも同じように複数鉢を同時に目的場所への持ち運びが出来ることは園芸愛好家にとどまらず一般家庭での植木鉢の並び替え及び移動作業における利便性はさらに向上する。【０００５】  また、本考案の支柱の中ほどには一個ないし複数の穴が開けられて成ることにより、その穴には棒状や曲線をワイヤーや、ジャングルジム構造を針金で設けることにより該植木鉢に植えた蔓性植物では蔓の茂みのや方向が所有者の意思に応じた構造体への誘導育成も出来きて四季さまざまな植物の枝ぶりを人工的に、立体的に形ずくるトピアリーも楽しむことが出来る。あるいは、該穴へはナゲシフック、チェーンフック、および大小のＳ字フックも同時に差しこみも出来るため、強風時にしなだれる茎や葉や花の受け止め具としての汎用活用も利用者にとって本考案の利便性は既存の構造の植木鉢よりも蔓形状植物だけでなくチューリップなど球根植物の転倒防止への遊用性も高い。【０００６】  本考案の支柱天部に備わる円盤状の取っ手平面の上部には、後述する広告シールの貼付の影響を少なくするため、ごく小さな孔を開け、ナゲシフックを通してナゲシあるいは木の枝などへ該鉢ごと吊り下げる機能も持たせた構造の吊るし式植木鉢としての役割も本考案に加わる。【０００７】  円盤状の平面の取っ手の表裏には前記設定の小さな孔を塞いで貼ることが出来る。先ず表面には事業用の宣伝広告を兼ねたシールを貼り、裏面には該鉢に植えた植物名や種蒔きした花の写真シールを貼る。
宣伝広告のスポンサ−を得られれば本考案植木鉢製品の販売者及び購入利用者に於いても事業収益の発生が見込まれるばかりでなく市場が広がり経済効果にも寄与するものである。
【課題を解決するための手段】
【０００８】  本考案では支柱天部に備わる取っ手を握ることにより片手でも複数鉢を指の間に挟んでこれらを持ち提げて運ぶことが出来るため両手利用では一度にさらに複数の植木鉢の同時移動が可能になるものからして、支柱の円周の太さよりも取っ手の幅は支柱よりも大きくして成ることで、持ち手の握力が弱くても滑り止め機能が働くよう形成してなる。
【考案の効果】
【０００９】  本考案の支柱によれば、植木鉢を通り抜けて受け皿の表面とを固着して為ることで植木鉢と受け皿の両方を一対で人の指と指の間で持ち上げて同時に複数の鉢を運べることを可能にした植木鉢の構造である。【００１０】  なお該孔は該シール等を突き刺せるＳ字フックを通して庭の柵の横棒やベランダや木の枝への吊し鉢としての利用も可能となる。【００１１】  支柱の任意の箇所には小さな空洞を設けることにより、随時針金あるいは棒状パーツの差し込み脱着も可能なため当該穴にには蔓科植物の捲きつき用に螺旋状あるいは直線、曲線の各形状の線を自在に取り付けて、植物を這わせたり、且つＬ字形やＳ字型、螺旋型の棒線の取り付けでは植物の茎の倒壊防止のため遊具そ備える支柱としての役割を持つ。【００１２】  本考案の支柱天部には球体、あるいは平板円盤状の取っ手を備えており、とくに平板円盤の表裏にはそれぞれに植えた花や植物の開花時予想の写真及びイラストの添付が可能であり、あるいは外部企業からの広告宣伝シールの取り付けも可能なため本考案活用者の経済的効果にも利する。【００１３】  支柱の上部に取手状の部分を設けることによって植木鉢を容易に持ち上げることを可能にしている。および支柱下部は鉢底と受け皿に固着されているため植木鉢は支柱を持つだけで一体として持ち運びできる。【００１４】  支柱の形状を多様な形態にすること、及び支柱に模様を施すことによってもさらなる付加価値を付け加えることができる。特に支柱の最上部を円盤型の形態にすることによって広告等を入れることのできる余白をつくることが出来る構造である。【００１５】  蔓性植物の蔦は成長にしたがって自ら絡む特性のため支柱に開けた穴にそれぞれ後から備えたワイヤートピアリーや針金や糸の形状図案に、沿った蔓みずからによる豊富な形状の蔓装飾にも貢献する。【００１６】  また支柱の穴に大小多様なＳ字形態をしたフックを通すことによって蔓性植物だけでなく、風雨にしな垂れ易いチューリップなどのほか頭部の重たい果実樹などの倒木防止支柱としても対処することができる。
【考案を実施するための形態】
【００１７】  以下、本考案の多機能支柱を備えた植木鉢の構造をその実施の最良の形態に基ずいて具体的に説明する。
【００１８】図１は本考案の実施例を示すものであり、植木鉢に挿入して受け皿に溶着される支柱２、の天部に備わる円盤状の取っ手の上部位置部分に植木鉢の吊り下げ用のＳ字形フックを通す円盤状取っに備わる孔５、を設けてその孔の下方には針金や棒状パーツを貫通させるための任意の数の支柱に開けた穴６、を設ける。次に支柱下部先端を植木鉢の底穴９、にネジ込んで植木鉢と固着させ、さらに植木鉢の裏底１０、と受け皿の表面１１、を固着あるいは溶着して一体となる多機能支柱で成る植木鉢構造。
【００１９】図２は本考案の図１とは別の実施例を示すものであり、植木鉢に挿入して受け皿に接続される支柱１の天部に備わる円盤状平板の取っ手の上部の任意の部分に植木鉢の吊り下げ用のＳ字形フックを通す孔を設け、その孔の支柱下方には針金や棒状パーツを貫通させるための任意の数の小さな穴を設ける。次には支柱下部突端は植木鉢の底に受け皿に到達する形状の一体成型でなる多機能支柱の植木鉢の構造。
【００２０】  支柱の途中部分に設けた穴を通した各種形状でなる針金パーツやワイヤートピアリーでなる地球儀形や動物玩具形に蔓を誘導して絡ませれば蔓性植物による自在な美的造形物の製作展示が楽しめる。
【図面の簡単な説明】
【００２１】
【図１】本考案の多機能支柱を備えた植木鉢の断面図である。
【図２】本考案の多機能支柱を備えた植木鉢の平面図である。
【符号の説明】
【００２２】１・・・・・・支柱を備えた植木鉢
２・・・・・・支柱
３・・・・・・受け皿
４・・・・・・支柱に備わる円盤状取っ手
５・・・・・・円盤状取っ手に備わる孔
６・・・・・・支柱に開けた穴
７・・・・・・植木鉢の排水孔
８・・・・・・用土スペース
９・・・・・・植木鉢の底穴
１０・・・・・植木鉢の裏底
１１・・・・・受け皿の表面
【図１】
0003189919.tif 000003
【図２】
0003189919.tif 000004
【手続補正書】
【提出日】平成26年1月16日(2014.1.16)
【手続補正１】
【補正対象書類名】実用新案登録請求の範囲
【補正対象項目名】全文
【補正方法】変更
【補正の内容】
【実用新案登録請求の範囲】
【請求項１】
植木鉢（１）の底表面に支柱（２）の下部先端を固着させ、次に植木鉢底の裏面（１０）を受け皿表面（１１）に固着させてなる多機能支柱を備えた植木鉢の構造。
【請求項２】
支柱の上部先端部に円盤形状の取っ手（４）を備え、片側には植えた植物の写真や名前を、反対側にはスポンサーの商業広告を印刷したシールの貼り付けを可能にしたことを特徴とする、請求項１に記載の多機能支柱を備えた植木鉢の構造。
【請求項３】
支柱には任意の位置に小さな穴（６）を単数または複数設けて、その穴を通して球体や蝶々形状など様々な形状のワイヤートピアリーを設け、そこにつる性植物を植えれば自在な創作模様を生み出せることを特徴とする穴が存在することを特徴とする請求項１に記載の多機能支柱を備えた植木鉢の構造。
【請求項４】
取っ手に備わる孔（５）は該広告シールを貼ったあとでも該シールの上部の僅かな一部分を突き抜けさせられるため、そこにＳ字フックを通して天井や横木に架けることができ、植木鉢の空中陳列を可能にする請求項２に記載の多機能支柱を備えた植木鉢の構造。
【請求項５】
本考案をプラスチック樹脂射出成型にて一体型製造してなる、請求項１から４のいずれかに記載の多機能支柱を備えた植木鉢の構造。
【請求項６】
本考案の請求項１から４のいずれかに記載の多機能支柱を備えた植木鉢を３Ｄプリンターにて一体成型で製造してなる植木鉢の構造。